(57)【特許請求の範囲】
【請求項１】
屋根の交差軒先の角部に取付ける樋水返し具であって、軒樋の前面側の樋耳や曲り継手に係着する把持部を具えた水返し立壁を一体に直交配置し、該水返し立壁の交差部位に、前記水返し立壁を連結するように補強面板を形成し、水返し立壁の内面全長に亘り軒樋内へ雨水を誘導する下方傾斜した案内板を形成すると共に、案内板の内側下方に段部を形成し、段部にビス止め部を形成しことを特徴とする樋水返し具。
【請求項２】
水返し立壁の交差部位の下端に、三角形状に面取りした補強面板を一体に形成したことを特徴とする請求項１記載の樋水返し具。
【請求項３】
水返し立壁の交差部位の上端に、逆三角形状に面取りした補強面板を一体に形成したことを特徴とする請求項１記載の樋水返し具。
【発明の詳細な説明】
【０００１】
【発明の属する技術分野】
本発明は樋水返し具に係り、特に、屋根の入隅など交差軒先の角部に取付けて角度変形を無くし、施工性を大幅に改善した樋水返し具に関するものである。
【０００２】
【従来技術とその課題】
従来、屋根の入隅など交差軒先の角部に取付ける飛越し防止板や飛沫板と云われる水返しは、軒樋同士を内曲り継手を介して交差突合わせ個所で接続したのちに、上記内曲り継手の前縁側耳部及び樋耳の少くとも四個所で水返しの基端部とビス止めしなければ、水返しを確実且つ安定して軒先に固定することが出来ず、予想以上に手間が掛かると云う問題があった。
【０００３】
即ち、上記のビス止め固定に際しては仮止めが無く、しかも、水平方向にビス止めしなければならなかったので、屋根の入隅のような作業し難い施工場所においては特に取付けに手間取ってしまい、作業効率の低下を招いていた。
また、入隅に適用される水返しは、その側辺の立板二枚が一体に直交配置された形態であって、その交差部位は不安定であり角度変形し易かったために、取付けに際しては作業し難く煩わしいものであった。
【０００４】
【課題を解決するための手段】
本発明は上記課題を解決するためのものであって、その要旨は、屋根の交差軒先の角部に取付ける樋水返し具であって、軒樋の前面側の樋耳や曲り継手に係着する把持部を具えた水返し立壁を一体に直交配置し、該水返し立壁の交差部位に、前記水返し立壁を連結するように補強面板を形成し、水返し立壁の内面全長に亘り軒樋内へ雨水を誘導する下方傾斜した案内板を形成すると共に、案内板の内側下方に段部を形成し、段部にビス止め部を形成しことを特徴とする樋水返し具である。
【０００５】
【発明の実施の形態】
以下、本発明の実施例を図面に基づき具体的に説明する。
図１は、本発明の一実施例を斜視図で示し、図２は、図１に示す本発明を矢視方向Ｘからの側面図で示し、図３は、図１に示す本発明を矢視方向Ｙからの平面図で示し、図４は、本発明の一実施例を軒先入隅に取付けた状態を斜視図で示し、図５は、本発明の他の実施例を斜視図で示し、図６は、本発明の更に他の実施例を斜視図で示す。
【０００６】
本発明は、図１、図４及び図５、図６に斜視図で示す如く、屋根Ａの交差軒先の角部Ｂに取付ける樋水返し具１であって、軒樋２の前面側の樋耳２１や曲り継手３に係着する把持部１１を具えた水返し立壁１−１を一体に直交配置し、該水返し立壁１−１の交差部位の下端に、三角形状に面取りした補強面板１２を一体に形成した、及び、交差部位に、前記水返し立壁１−１を連結するように補強面板１２を形成したことを特徴とし、具体的には、逆三角形状に面取りした補強面板１２を一体に形成したことを特徴とするものである。
【０００７】
上記本発明で、交差部位に補強面板１２を形成したことにより樋水返し具１の角度変形が防止されるために、樋水返し具１を、軒樋２の樋耳２１や曲り継手３に嵌着し易くなって、屋根Ａの入隅など作業し難い交差軒先の角部Ｂへの取付け施工性が向上する。
【０００８】
【実施例】
（実施例１）
本実施例では、図１乃至図４に示す如く、水返し立壁１−１が一体に直交配置して形成され、その両側端には、各々が軒樋２側へ斜めに折れ曲った誘導板１３の案内立壁１５が一体に形成されていると共に、一方の案内立壁１５から他方の案内立壁１５に至る間の水返し立壁１−１の内面（軒樋２側）には、複数本の補強リブ１６が一体に形成され、また、水返し立壁１−１の内面全長に亘り段部１７及び誘導板１３の案内板１４が形成されている。
【０００９】
そして、上記誘導板１３の案内立壁１５の下端部には、軒樋２の樋耳２１に係着する把持部１１が形成されていると共に、上記補強リブ１６の下端部には、曲り継手３の耳部に係着する把持部１１が形成され、また、上記段部１７には上方からビスで締着できるビス止め部１８が形成されている。
本発明の特徴とするところは、屋根Ａの交差軒先の角部Ｂに直交配置して一体に形成されている水返し立壁１−１の交差部位の下端に、三角形状に面取りした補強面板１２が形成されていることである。
【００１０】
上記本発明を取付け施工するには、図４に示す如く、谷樋Ｃを介して屋根Ａ，Ａの軒先が交差している入隅の角部Ｂで、曲り継手３を用いて軒樋２，２同士を予め接続固定しておき、次いで、本発明を、その一方の誘導板１３の案内立壁１５に形成した把持部１１を、一方の軒樋２の樋耳２１に把持させたままスライドして、補強面板１２が曲り継手３の交差部位にきたときに、他方の案内立壁１５に形成した把持部１１を、他方の軒樋２の樋耳２１に位置合わせし把持させて仮止めし、しかる後、段部１７のビス止め部１８を介し曲り継手３に締着固定すれば、取付け中における角度変形が無いことと合わせ、面取りした補強面板１２がゆとりとなり、案内効果もあるので極めて容易に取付けることができる。
【００１１】
（実施例２）
本発明では、図５に斜視図で示す如く、水返し立壁１−１の交差部位の上端に、大きく逆三角形状に面取りした補強面板１２を一体に取付けた点において実施例１とは異なるが、少なくとも谷樋Ｃから付勢され流下する雨水は、入隅の角部Ｂに広いスペースが生じるので、漏斗機能により水返し立壁１−１の交差部位を飛び越えて飛散することが抑えられると共に、実施例１同様に、樋水返し具１自体の取付け中における角度変形が防止されて極めて容易に取付けることができる。
【００１２】
（実施例３）
本発明では、図６に斜視図で示す如く、水返し立壁１−１の交差部位の上端に、一方の案内立壁１５の上端と他方の案内立壁１５の上端とを連結するように、三角形状の補強面板１２が略水平に形成されている。
補強面板１２により、樋水返し具１自体の取付け中における角度変形が防止されるので、取付け施工が極めて容易となる。
【００１３】
上述の如く、本発明で、屋根Ａの入隅に配置される水返し立壁１−１の交差部位に形成された補強面板１２により、樋水返し具１自体の角度変形が無くなり、軒樋２の樋耳２１や曲り継手３に把持部１１が嵌合し易くなるので、樋水返し具１を屋根Ａの入隅など交差軒先の角部Ｂに取付ける際に、施工性を大幅に向上させることができるものである。
【００１４】
【発明の効果】
本発明は上記構成よりなるので下記効果を奏する。
即ち、本発明により、交差部位を面取りして補強面板を形成したことにより、樋水返し具の角度変形が防止されるために、樋水返し具を、軒樋の樋耳や曲り継手に嵌着し易くなって、屋根の入隅など作業し難い交差軒先の角部への取付け施工性が向上すると云う作用効果が得られる。
【図面の簡単な説明】
【図１】本発明の一実施例を斜視図で示す。
【図２】図１に示す本発明を矢視方向Ｘからの側面図で示す。
【図３】図１に示す本発明を矢視方向Ｙからの平面図で示す。
【図４】本発明の一実施例を軒先入隅に取付けた状態を斜視図で示す。
【図５】本発明の他の実施例を斜視図で示す。
【図６】本発明の更に他の実施例を斜視図で示す。
【符号の説明】
１      樋水返し具
１−１  水返し立壁
１１    把持部
１２    補強面板
１３    誘導板
１４    案内板
１５    案内立壁
１６    補強リブ
１７    段部
１８    ビス止め部
２      軒樋
２１    樋耳
３      曲り継手
Ａ      屋根
Ｂ      角部
Ｃ      谷樋
【図１】
0003699272.tif 000002
【図２】
0003699272.tif 000003
【図３】
0003699272.tif 000004
【図４】
0003699272.tif 000005
【図５】
0003699272.tif 000006
【図６】
0003699272.tif 000007